(57)【要約】      （修正有）【課題】突出量を抑制しつつも飲食の際の煩雑さを低減することが可能なフェースシールドを提供する。【解決手段】フェースシールド１は、人の耳１１に載せる耳フレームおよび耳フレームと接続されており人の鼻１２に接触する鼻フレーム２２を有するフレーム部２と、鼻１２及び鼻の下方に位置する口１３を少なくとも顔１４の正面側から覆うシールドを備える。シールドは耳フレームまたは鼻フレームの少なくとも一方に保持される第１シールド４１と、第１シールド４１と相対変位可能に設けられる第２シールド４２を備える。第２シールド４２は、変位前の第１位置が口１３と対向し、変位後の第２位置が口１３との間に形成される空間Ｓが広がる位置を占める。フェイスシールド１は、第２シールド４２を揺動可能に支持する支持部５、第２シールド４２を第２位置に保持する保持機構６を有する。【選択図】図３
0003232602.tif 000002
【実用新案登録請求の範囲】
【請求項１】
人の耳に載せる耳フレームと、前記耳フレームと接続されており人の鼻に接触する鼻フレームとを有するフレーム部と、
前記鼻及び鼻の下方に位置する口を少なくとも顔の正面側から覆うシールド部を備え、
前記シールド部は、前記耳フレームまたは前記鼻フレームの少なくとも一方に保持される第１シールドと、第１シールドと相対変位可能に設けられる第２シールドを備え、
第２シールドは、変位前の第１位置が前記口と対向し、変位後の第２位置が前記口との間に形成される空間が広がる位置を占めるフェースシールド。
【請求項２】
第２シールドは、第１位置と第２位置とに揺動可能である、請求項１に記載のフェースシールド。
【請求項３】
第２シールドを第２位置に保持する保持機構を有する、請求項２に記載のフェースシールド。
【考案の詳細な説明】
【技術分野】
【０００１】  本考案は、揺動可能なフェースシールドに関する。
【背景技術】
【０００２】  人の顔を覆うものとして、透明で可撓性を有するプラスチックシート材から成るシールドを有するフェースシールドが知られている。フェースシールドには、シールドが固定式のものと、揺動式（開閉式）のものとがある。固定型のものとしては、例えば特許文献１が挙げられ、揺動式のものはすでに販売されている。
【先行技術文献】
【０００３】
【特許文献１】実願２０２０−１５８０号公報
【考案の概要】
【考案が解決しようとする課題】
【０００４】  固定式のフェースシールドの場合、飲食の際にフェースシールド自体を外したり、飲食する度にずらす必要があり煩雑である。揺動式のフェースシールドの場合、シールドが顔全体を覆う長さを有していることから、顔から遠ざける方向に移動させたときに突出量が大きくなってしまう。
本考案は、突出量を抑制しつつも飲食の際の煩雑さを低減可能とするフェースシールドを提供することを、その目的とする。
【課題を解決するための手段】
【０００５】  本考案にかかるフェースシールドは、人の耳に載せる耳フレームと、前記耳フレームと接続されており人の鼻に接触する鼻フレームとを有するフレーム部と、前記鼻及び鼻の下方に位置する口を少なくとも顔の正面側から覆うシールド部を備え、前記シールド部は、前記耳フレームまたは前記鼻フレームの少なくとも一方に保持される第１シールドと、第１シールドと相対変位可能に設けられる第２シールドを備え、第２シールドは、変位前の第１位置が前記口と対向し、変位後の第２位置が前記口との間に形成される空間が広がる位置を占めることを特徴としている。
【考案の効果】
【０００６】  本考案によれば、突出量を抑制しつつも食事の際の煩雑さを低減可能なフェースシールドを提供することができる。
【図面の簡単な説明】
【０００７】
【図１】本考案のフェースシールドの一形態を顔の正面側から見た図。
【図２】本考案のフェースシールドの構成を説明する分解図。
【図３】本考案のフェースシールドを顔へ装着した状態を示す図。
【図４】支持部と保持機構の一形態を説明する拡大図。
【図５】（ａ）は図１Ａ−Ａ線断面図、（ｂ）はフェースシールドの第２シールドが第２位置を占め状態を示す断面図。
【考案を実施するための形態】
【０００８】  以下、図面を参照しながら、本考案にかかるフェースシールドの実施形態を説明するが、本考案は図面に示した態様に限定されない。
本考案のフェースシールド１は、図１、図２に示すように、フレーム部２とシールド４を備えている。フレーム部２は、図３に示すように、人の左右の耳１１にそれぞれ載せる左右一対の耳フレーム２１，２１と、各耳フレーム２１と接続されており人の鼻１２に接触する鼻フレーム２２とを有している。
【０００９】  耳フレーム２１と鼻フレーム２２とは、リム２３を介して接続されている。本実施形態において、鼻フレーム２２とリム２３とは一体成型されている。左右の耳フレーム２１，２１は、リム２３の端部にそれぞれ折り畳み可能に取り付けられている。すなわち、フレーム部２は、メガネ型フレームを成している。フレーム部２は上側リムのみを有するハーフリム型のメガネ型フレームと類似した形状、あるいは下側リムのみを有するアンダーリム型のメガネ型フレームと類似した形状であってもよい。本実施形態において、フレーム部２は、アンダーリム型と類似した形状である。
【００１０】  シールド４は、図３に示すように、鼻１２及び鼻１２の下方に位置する口１３を少なくとも顔１４の正面側から覆う大きさに形成されている。シールド４は、フレーム部２に保持される第１シールド４１と、第１シールド４１と相対変位可能に設けられる第２シールド４２を備えている。本実施形態において、第１シールド４１は、ビスまたは接着剤などによってフレーム部２に、その上部４１ａが固定されることでフレーム部２に保持されている。すなわち、第１シールド４１は、リム２３に上部４１ａが保持される形態であってもよいし、鼻フレーム２２とリム２３の双方で保持される形態であってもよい。第２シールド４２は、第１シールド４１の下部４１ｂに装着されている。
【００１１】  第１シールド４１と第２シールド４２は、例えば０．１〜０．４ミリ程度の厚さを有した透明の樹脂で形成されている。第１シールド４１と第２シールド４２は、フレーム部２での保持前は板状を成していて、フレーム部２での保持状態においては顔の正面側から後頭部に向かって円弧状に湾曲する。
【００１２】  第２シールド４２は、変位前の位置が口１３と対向し、変位後の位置が口１３との間に形成される空間Ｓが広がる位置を占めるように変位可能に第１シールド４１の下部４１ｂにその上部４２ａが取り付けられている。第２シールド４２は、口１３との間に空間Ｓが形成されるように口１３と対向する第１位置となる閉位置と、閉位置から口１３から遠ざかる方向（以下「開方向Ｘ１」と記す）に移動して口１３との間に形成される空間Ｓが広がる第２位置となる開位置とに揺動可能（開閉可能）に第１シールド材４１に取り付けられている。第２シールド４２の第１位置は、第２シールド４２が開位置から口１３に近づく方向（以下「閉方向Ｘ２」と記す）に移動して口１３との間に形成される空間Ｓが狭まる位置である。本実施形態において、シールド４は、第２シールド４２が第１シールド４１に対して開方向Ｘ１と閉方向Ｘ２とに揺動する揺動式（開閉式、可動式ともいう）である。本実施形態において相対変位可能とは、位置が固定された第１シールド４１に対して、第２シールド４２が第１位置と第２位置とに移動することを指す。
【００１３】  第２シールド４２は、第１位置（閉位置）を占めているときに、第１シールド４１の下部４１ｂと第２シール部４２の上部４２ａとの間にわずかな隙間ｔが形成されるように支持部５によって支持されている。この隙間ｔは、第２シールド４２が開閉方向に揺動した際に第１シールド４１の下部４１ｂと干渉しないためのクリアランスである。隙間ｔは例えば０．１〜０．２程度であるのが好ましい。
図２に示すように、第２シールド４２の上下方向への長さＨ２は、第１シールド４１の上下方向への長さＨ１よりも短く形成されている。第２シールド４２の長さＨ２は、シールド４の上下方向への全長Ｈよりも短く形成されている。
【００１４】  次に第２シールド４２を揺動可能に支持する支持部５について説明する。
支持部５は、第１シールド４１に設けられた互いに対向する一対のアーム部５１，５１と、第２シールド４２に形成されており、アーム部５１，５１とそれぞれ対向する一対の突起部５２，５２と、アーム部５１，５１に対して突起部５２，５２を揺動自在（開閉自在）に支持する軸線Ｚとを備えている。本実施形態において、突起部５２，５２は、アーム部５１，５１の間に配置されているが、突起部５２，５２の外側に配置された形態であってもよい。
【００１５】  フェースシールド１は、第２シールド４２を第２位置（開位置）に保持する保持機構６を有する。保持機構６は、突起部５２，５２にそれぞれ形成されたねじ孔６１，６１と、アーム部５１，５１にそれぞれ形成された貫通孔６２、６２からねじ孔６１，６１に締結されるねじ６３，６３とを備えている。ねじ孔６１，６１と貫通孔６２，６２は、その中心線が軸線Ｚと同軸線上に位置するように形成されている。保持機構６は、ねじ孔６１，６１にねじ６３，６３を締結する際の締め込み具合を調整することで保持力を調整することができる。
なお、突起部５２，５２をアーム部５１，５１の外側に配置する形態の場合、突起部５２，５２には貫通孔６２，６２を形成し、アーム部５１，５１にはねじ孔６１，６１を形成するのが好ましい。
【００１６】  このように、本実施形態にかかるフェースシールド１によると、第１シールド４１と相対変位可能に設けられる第２シールド４２を備え、第２シールド４２が、変位前の位置が口１３と対向し、変位後の位置が口１３との間に形成される空間Ｓが広がる位置を占める。このため、従来の一枚もののフェースシールドを揺動（開閉）するのに比して、変位するシールドの突出量を抑制しつつも飲食の際の煩雑さを低減することが可能な新たなフェースシールドを提供することができる。
つまり、第２シールド４２は、口１３と対向する第１位置と、第１位置から口１３から遠ざかる開方向Ｘ１に移動して口１３との間に形成される空間Ｓが広がる第２位置とに揺動可能であるため、飲食の際に第２シール部４２だけを第２位置へと揺動させることで、いちいちフェースシールド１を着脱する必要がなく、また、第２位置を占めた時の突出量を抑制することができる。
【００１７】  本実施形態において、第２シールド４２の長さＨ２は、シールド部２の全長Ｈよりも低く、かつ第１シールド４１の長さＨ１よりも短くしているので、より確実に第２位置を占めた時の突出量を抑制することができるので好ましい。
さらに、本実施形態にかかるフェースシールド１では、第２シールドを第２位置に保持する保持機構を有するので、第２シールド４２を開方向Ｘ１に移動しても第２位置に保持することができるので、飲食時の煩雑さをより少なくすることができる。
【００１８】  第１シールド４１の下部の内面４１ｃまたは第２シールド４２の上部４２の内面４１ｃに、隙間ｔをシールド内側から覆う当て部材０を配置してもよい。当て部材７０は、各シール部材と同様の透明な材質で形成されている。本実施形態において、当て部材は、第２シールド４２側に溶着または圧着あるいは接着剤によって取り付ける。当て部材は、帯状を成し、フェースシールド１の幅方向に連続して形成されている。
このように当て部材を備えていると、第２シールド４２が第１位置（閉位置）にある時に発生する隙間ｔからシールド内側への飛沫の侵入することを防止できるので好ましい。
【００１９】  当て部材が第１シールド４１側に取り付けられていると、第２シールド４２を揺動させた際に、常に第１シールド４１に残り、見栄えが良くない。このため、当て部材を第２シールド４２側に取り付け、第２シールド４２を第２位置（開位置）へ向かって移動させた際に一緒に移動させて開状態の時のシールド正面の見栄えを良くしている。
【符号の説明】
【００２０】１・・・・フェースシールド
２・・・・フレーム部
４・・・・シールド
５・・・・支持部
６        保持機構
１２・・・人の鼻
１３・・・口
１４・・・顔
２１・・・耳フレーム
２２・・・鼻フレーム
４１・・・第１シールド
４２・・・第２シールド
Ｓ・・・・空間
Ｘ１      方向
【図１】
0003232602.tif 000003
【図２】
0003232602.tif 000004
【図３】
0003232602.tif 000005
【図４】
0003232602.tif 000006
【図５】
0003232602.tif 000007